(57)【要約】［課題］この発明は、図１、の如く本体特殊加工ゴム市販名ユーカスと称す大変強靭で伸縮のおさえがききます、肌にも優しく柔らかく温味があり長時間に渡って装着していても、肌が被れることもなく治療器具の本体として使用するには大変貴重な製品です。本体ユーカスに磁石を接着し磁石の力を最大限に活用したことを特徴とする。磁石膝痛治療器具を提供するものである。［解決手段］磁石膝痛治療器具。本体ユーカスに、硬質スポンヂに穴を開けて磁石を固定させて柔らかい丈夫な布で包み接着して、磁石を患部に当てるように配置接着することにより、周囲の血行を良くして筋肉のコリをほぐしてくれるので、痛みや苦しみを柔らげると同時に正座しているときにも歩行時にも又激しい運動時にも、磁石が患部に密着しているので違和感を覚える事もなく、ユーカスの伸縮のおさえがきく力を活用することにより、その効果は大なるものとなります。【選択図】図１
2005111238.tif 000002
【特許請求の範囲】
【請求項１】
磁石膝痛治療器具。出願番号２０００−１４０９４８。出願人５００２１５６３２。平成１２年３月２４日付にて提出致しました。本体を生ゴムバンドとして申請致しましたが、生ゴムバンドは肌に直に装着することにより皮膚が被れる等。生ゴムによるアレルギーを持つ方が多くおられるとの事で、使用不可との決論に達しましたので、新資材を活用致す事に決定致しましたので。前文全項目削除して下さる様お願い申し上げる次第にご座います。
本体に使用致します、特殊加工ゴム市販名ユーカスと称しますは、大変強靭で伸縮のおさえがききます、肌にも優しく柔らかく温かく長期間に渡って装着していても、肌が被ることもなく治療器具の本体として使用するには大変貴重な製品にご座います。尚ほ器具そのものにも使用上不備な点があることに気付きましたので、この度改良致しまして新に願い出る次第にご座います。
磁石膝痛治療器具本体ユーカスを図１、の如くＬ型を基準として抜き取ると凸部が出来ます。図２、はその凸部を膝の患部に装着するときに引き伸ばした図です。図３、の磁石を図４、又は図５、に埋め込み接着してのち柔らかい丈夫な布に包み接着したものの底辺に更らに布を１枚接着したのちに、図１、の処定に接着する。
【発明の詳細な説明】
［技術分野］
【０１１０】  本発明は、本体特殊加工ゴムとは、大変強靭で伸縮のおさえがききます、肌に優しく柔らかく温味があり長期間に渡って装着していても、肌が被ることもなく治療器具の本体としては大変貴重な製品です。市販名ユーカスと称します本体ユーカスをＬ型を基準として抜き取り、磁石を装着した膝痛の治療に関するものである。
［背景技術］
【０１１１】  平成１２年３月２４日付にて提出致しました特願には。本体生ゴムバンドとして申請致しましたが、生ゴムバンドは肌に装着することにより皮膚が被る等生ゴムによるアレルギーを持つ方が多く居られるとの事で、使用不可との決論に達しましたので、新資材ユーカスを本体として活用致す事に決定しました。
［発明の解示］
［発明が解決しようとする課題］
【０１１２】  本発明は、その欠点を除いて本体ユーカスに磁石を接着して、膝痛患部に当てることにより、周囲の血行を良くして筋肉のコリをほぐします。尚ほユーカスの伸縮のおさえがきく力を活用し患部を押圧することにより、大いなる効果を上げることが出来る。尚ほ図１、の磁石の配置の不規則は正座しているときも歩行時や激しい運動時にも磁石が患部に密着出来るように、考案したものである。その効果の大なるを開発しようとするものである。
【課題を解決するための手段】
【０１１３】  いまその解決手段を図面に追いながら説明すれば、
図１、本体ユーカスを正面図Ｌ型を基準として抜き取る、長さ５３０ｍｍ最大巾３００ｍｍ厚さ２ｍｍ中央部分の枠内も抜き取る、磁石を図１、の如く配置接着させる、と下部に凸部が出来ます。図２、は凸部を膝の患部に装着する時点で引き伸ばした図です。図３、磁石円柱型上部円型、直経１３ｍｍ厚さ５ｍｍを使用する、図４、本発明の硬質スポンヂ長さ８０ｍｍ巾２０ｍｍ厚さ４ｍｍに磁石を埋める穴を直経１３ｍｍを３ヶ処開け磁石を埋め接着する、その硬質スポンヂを肌に優しい柔らかい丈夫な布で包み接着してのち、更に底辺に布を１枚接着したものを図１、の処定の処に接着する。図５、硬質スポンヂ長さ５０ｍｍ厚さ４ｍｍ巾２０ｍｍに直径１３ｍｍの穴を２ヶ処開け、図３、の磁石を埋めて接着する、その硬質スポンヂを肌に優しい柔らかい丈夫な布で包み接着してのち、底辺に布を１枚接着したものを、図１、の処定の処に接着する。図６、本体ユーカス、イ、ロの両端にマジックテープを接着させる。図７、ユーカスの渕取りバヤス布を使用し伸縮模様ぬいとする。以上を特徴とする磁石膝痛治療器具である。
［発明の効果］
【０１１４】  本発明は以上のような構造であるから、これを使用装着することにより、磁石で膝痛の周囲の血行を良くして、筋肉のコリをほぐしてくれるので、痛みや苦しみを柔らげると同時に、正座しているときにも歩行時にも又激しい運動時にも、磁石が患部に密着しているので違和感を覚える事もなく、ユーカスの伸縮のおさえがきく力を活用することにより、その効果は大なるものとなります
［発明を実施するための最良の型態］
【０１１５】  本発明の実施の型態について説明する。
図１、本体ユーカスの正面図、の如くＬ型を基準として抜き取ると凸部が出来ます。図２、はその凸部を膝の患部に装着するときに引き伸ばした図です。図３、の磁石を図４、又は図５、の硬質スポンヂに埋め込み接着したのち柔らかい丈夫な布に包み接着したものの底辺に更らに布を１枚接着したのちに図１、如く配置接着する。図６、マジックテープを接着する。図７、本体ユーカスの渕取りバヤス布を使用して伸縮模様ぬいとする。
［実施例１］
【０１１６】  図１、の磁石の配置の不規則は正座しているときも、歩行時や激しい運動時にも磁石が患部に密着出来るように考案したもので、本体を生ゴムを使用する事が出来ますが、生ゴムは長時間肌に装着していると生ゴムによるアレルギーをもつ方が多く居られるとの事で、使用不可との決論に至りましたので新資材を活用致す事に決定致し、新に特許願を提出する次第にご座います。
当発明の本体に仕様致します。特殊加工ゴムとは大変強靭で伸縮のおさえがききます、肌に優しく柔らかく温味があり長時間に渡って装着していても、肌が被ることもなく治療器具の本体としては大変貴重な製品です。市販名ユーカスと称します。磁石膝痛治療器具。出願番号２０００−１４０９４８。出願人５００２１５６３２。平成１２年３月２４日付にて提出致しました。
尚ほ器具そのものにも使用上不備な点があることに気付きましたので、この度改良致しまして新に願い出る次第にご座います。
【図面の簡単な説明】
【０１１７】
【図１】本発明の正面図。
【図２】本体図１、の凸部。膝に装着する時点の引き伸ばした図。
【図３】磁石の型態。
【図４】硬質スポンヂ穴を３ヶ処開ける。
【図５】硬質スポンヂ穴を２ヶ処開ける。
【図６】イ・ロマジックテープ接着、巾５０ｍｍ長さ３０ｍｍ。
【図７】本体ユーカスの渕取りバヤス布使用して伸縮模様ぬい。
【符号の説明】
【０１１８】１  本体ユーカスの正面図。
２  図１、の凸部を膝に装着時点の引き伸ばした図。
３  磁石。
４  硬質スポンヂ。
５  硬質スポンヂ。
６  イ、ロにマジックテープ。
７  本体ユーカスの渕取り。
【図１】
2005111238.tif 000003
【図２】
2005111238.tif 000004
【図３】
2005111238.tif 000005
【図４】
2005111238.tif 000006
【図５】
2005111238.tif 000007
【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
磁石膝痛治療器具。出願番号２０００−１４０９４８。出願人５００２１５６３２。平成１２年３月２４日付にて提出致しました。本体を生ゴムバンドとして申請致しましたが、生ゴムバンドは肌に直に装着することにより皮膚が被れる等。生ゴムによるアレルギーを持つ方が多くおられるとの事で、使用不可との決論に達しましたので、新資材を活用致す事に決定致しましたので。前文全項目削除して下さる様お願い申し上げる次第にご座います。本体に使用致します、特殊加工ゴム市販名ユーカスと称しますは、大変強靭で伸縮のおさえがききます、肌にも優しく柔らかく温かく長期間に渡って装着していても、肌が被ることもなく治療器具の本体として使用するには大変貴重な製品にご座います。尚ほ器具そのものにも使用上不備な点があることに気付きましたので、この度改良致しまして新に願い出る次第にご座います。
磁石膝痛治療器具本体ユーカスを図１、の如くＬ型を基準として抜き取ると凸部が出来ます。図２、はその凸部を膝の患部に装着するときに引き伸ばした図です。図３、の磁石を図４、又は図５、に埋め込み装着してのち柔らかい丈夫な布に包み接着したものの底辺に更らに布を１枚接着したのちに、図１、の処定に接着する。
【手続補正２】
【補正対象書類名】明細書
【補正対象項目名】全文
【補正方法】変更
【補正の内容】
【発明の詳細な説明】
【技術分野】
【０００１】  本発明は、本体特殊加工ゴムとは、大変強靭で伸縮のおさえがききます、肌に優しく柔らかく温味があり長期間に渡って装着していても、肌が被ることもなく治療器具の本体としては大変貴重な製品です。市販名ユーカスと称します本体ユーカスをＬ型を基準として抜き取り、磁石を接着した膝痛の治療に関するものである。
【背景技術】
【０００２】  平成１２年３月２４日付にて提出致しました特願には。本体生ゴムバンドとして申請致しましたが、生ゴムバンドは肌に装着することにより皮膚が被る等生ゴムによるアレルギーを持つ方が多く居られるとの事で、使用不可との決論に達しましたので、新資材ユーカスを本体として活用致す事に決定しました。
【発明の解示】
【発明が解決しようとする課題】
【０００３】  本発明は、その欠点を除いて本体ユーカスに磁石を接着して、膝痛患部に当てることにより、周囲の血行を良くして筋肉のコリをほぐします。尚ほユーカスの伸縮のおさえがきく力を活用し患部を押圧することにより、大いなる効果を上げることが出来る。尚ほ図１、の磁石の配置の不規則は正座しているときも歩行時や激しい運動時にも磁石が患部に密着出来るように、考案したものである。その効果の大なるを開発しようとするものである。
【課題を解決するための手段】
【０００４】  いまその解決手段を図面に追いながら説明すれば、
図１、本体ユーカスを正面図Ｌ型を基準として抜き取る、長さ５３０ｍｍ最大巾３００ｍｍ厚さ２ｍｍ中央部分の枠内も抜き取る、磁石を図１、の如く配置接着させる、と下部に凸部が出来ます。図２、は凸部を膝の患部に装着する時点で引き伸ばした図です。図３、磁石円柱型上部円型、直経１３ｍｍ厚さ５ｍｍを使用する、図４、本発明の硬質スポンヂ長さ８０ｍｍ巾２０ｍｍ厚さ４ｍｍに磁石を埋める穴を直経１３ｍｍを３ヶ処開け磁石を埋め接着する、その硬質スポンヂを肌に優しい柔らかい丈夫な布で包み接着してのち、更に底辺に布を１枚接着したものを図１、の処定の処に接着する。図５、硬質スポンヂ長さ５０ｍｍ厚さ４ｍｍ巾２０ｍｍに直経１３ｍｍの穴を２ヶ処開け、図３、の磁石を埋めて接着する、その硬質スポンヂを肌に優しい柔らかい丈夫な布で包み接着してのち、底辺に布を１枚接着したものを、図１、の処定の処に接着する。図６、イ、ロの両端に巾３０ｍｍ長さ５０ｍｍのマジックテープを接着させる。ユーカスの渕取りバヤス布を使用し伸縮模様ぬいとする。以上を特徴とする磁石膝痛治療器具である。
【発明の効果】
【０００５】  本発明は以上のような構造であるから、これを使用装着することにより、磁石で膝痛の周囲の血行を良くして、筋肉のコリをほぐしてくれるので、痛みや苦しみを柔らげると同時に、正座しているときにも歩行時にも又激しい運動時にも、磁石が患部に密着しているので違和感を覚える事もなく、ユーカスの伸縮のおさえがきく力を活用することにより、その効果は大なるものとなります
【発明を実施するための最良の形態】
【０００６】  本発明の実施の型態について説明する。
図１、本体ユーカスの正面図、の如くＬ型を基準として抜き取ると凸部が出来ます。図２、はその凸部を膝の患部に装着するときに引き伸ばした図です。図３、の磁石を図４、又は図５、の硬質スポンヂに埋め込み接着したのち柔らかい丈夫な布に包み接着したものの底辺に更らに布を１枚接着したのちに図１、如く配置接着する。図６、イ、ロに巾３０ｍｍ長さ５０ｍｍマジックテープを接着する。本体ユーカスの渕取りバヤス布を使用して伸縮模様ぬいとする。
【実施例１】
【０００７】  図１、の磁石の配置の不規則は正座しているときも、歩行時や激しい運動時にも磁石が患部に密着出来るように考案したもので、本体を生ゴムを使用する事が出来ますが、生ゴムは長時間肌に装着していると生ゴムによるアレルギーをもつ方が多く居られるとの事で、使用不可との決論に至りましたので新資材を活用致す事に決定致し、新に特許願を提出する次第にご座います。
当発明の本体に仕様致します。特殊加工ゴムとは大変強靭で伸縮のおさえがききます、肌に優しく柔らかく温味があり長時間に渡って装着していても、肌が被ることもなく治療器具の本体としては大変貴重な製品です。市販名ユーカスと称します。磁石膝痛治療器具。出願番号２０００−１４０９４８０。出願人５００２１５６３２。平成１２年３月２４日付にて提出致しました。
尚ほ器具そのものにも使用上不備な点があることに気付きましたので、この度改良致しまして新に願い出る次第にご座います。
【図面の簡単な説明】
【０００８】
【図１】本発明の正面図
【図２】本体図１、の凸部。膝に装着する時点の引き伸ばした図
【図３】磁石の型態
【図４】硬質スポンヂ穴を３ヶ処開ける
【図５】硬質スポンヂ穴を２ヶ処開ける
【図６】図６、の図面加入。イ、ロ、マジックテープ接着、巾３０ｍｍ長さ５０ｍｍ、
【符号の説明】
【０００９】１  本体ユーカスの正面図、
２  図１、凸部を膝に装着時点の引き伸ばした図、
３  磁石、
４  硬質スポンヂ、
５  硬質スポンヂ、
６  図６、の図面加入。イ、ロ、マジックテープ接着、巾３０ｍｍ長さ５０ｍｍ、
【手続補正３】
【補正対象書類名】図面
【補正対象項目名】全図
【補正方法】変更
【補正の内容】
【図１】
2005111238.tif 000008
【図２】
2005111238.tif 000009
【図３】
2005111238.tif 000010
【図４】
2005111238.tif 000011
【図５】
2005111238.tif 000012
【図６】
2005111238.tif 000013